(57)【要約】【課題】  カラースキャンスタートキーが押下された場合であっても、無駄な装置内のデータ処理を省き、かつユーザの使い勝手の良いマルチファンクションペリフェラル装置を提供する。【解決手段】  マルチファンクションペリフェラル装置であって、モノクロ及びカラースキャナ機能を有するスキャナ部と、モノクロファクシミリ送信機能のみを有するファクシミリ送信部と、前記スキャナ部に対してカラースキャンの実行を指示するカラースキャンスタートキーと、前記スキャナ部に対してモノクロスキャンの実行を指示するモノクロスキャンスタートキーと、前記カラースキャンスタートキーによるファクシミリ送信が指示された場合に、前記カラースキャンスタートキーと前記モノクロファクシミリ機能との間で予め設定された対応条件に基づいて、前記ファクシミリ送信部の動作を制御するファクシミリ送信制御部と、を備えることを特徴とする。【選択図】  図４
2005269203.tif 000002
【特許請求の範囲】
【請求項１】
モノクロ及びカラースキャナ機能を有するスキャナ部と、
モノクロファクシミリ送信機能のみを有するファクシミリ送信部と、
前記スキャナ部に対してカラースキャンの実行を指示するカラースキャンスタートキーと、
前記スキャナ部に対してモノクロスキャンの実行を指示するモノクロスキャンスタートキーと、
前記カラースキャンスタートキーによるファクシミリ送信が指示された場合に、前記カラースキャンスタートキーと前記モノクロファクシミリ機能との間で予め設定された対応条件に基づいて、前記ファクシミリ送信部の動作を制御するファクシミリ送信制御部と、
を備えることを特徴とするマルチファンクションペリフェラル装置。
【請求項２】
前記対応条件は、前記カラースキャンスタートキーによるファクシミリ送信が指示された場合であっても、無条件に前記モノクロファクシミリ送信を実行することを内容とすることを特徴とする請求項１に記載のマルチファンクションペリフェラル装置。
【請求項３】
前記対応条件は、前記カラースキャンスタートキーによるファクシミリ送信が指示された場合には無効なキー操作として認識することを内容とし、
前記ファクシミリ送信制御部は、前記ファクシミリ送信部の動作を禁止することを特徴とする請求項１に記載のマルチファンクションペリフェラル装置。
【請求項４】
さらに、前記カラースキャンスタートキーによるファクシミリ送信が指示された場合には、無効なキー操作がなされた旨を告知する告知手段を備えることを特徴とする請求項３に記載のマルチファンクションペリフェラル装置。
【請求項５】
前記対応条件は、前記カラースキャンスタートキーによるファクシミリ送信が指示された場合、無条件に前記モノクロファクシミリ送信を実行することを内容とする条件と、無効なキー操作として認識することを内容とする条件の両方を含み、
前記ファクシミリ送信制御部は、前記２条件から選択された何れかの条件に基づいて、前記ファクシミリ送信部の動作を制御することを特徴とする請求項１に記載のマルチファンクションペリフェラル装置。
【発明の詳細な説明】
【技術分野】
【０００１】
本発明は、スキャンジョブ、プリントジョブ、ファクシミリジョブ等、複数のジョブを１台の装置で実行可能なマルチファンクションペリフェラル(以下、ＭＦＰ)装置に関し、特にＭＦＰ装置のソフトウェア制御構成に関するものである。
【背景技術】
【０００２】
カラースキャナ機能とファクシミリ送信機能を有する従来のマルチファンクションペリフェラル（ＭＦＰ）装置には、カラースキャンの実行を指示するカラースキャンスタートキーと、モノクロスキャンの実行を指示するモノクロスキャンスタートキーの両方を持つものがある。この従来のＭＦＰ装置には、モノクロファクシミリ送信機能だけで、カラーファクシミリ送信機能がないものがある。
【０００３】
このようなＭＦＰ装置では、カラースキャンスタートキーによるファクシミリ送信が指示された場合、一旦カラースキャンを実行し、その後にモノクロデータに変換する処理を行い、ファクシミリ送信を実行していた。
【特許文献１】特開２００１−３３９６０４号公報
【発明の開示】
【発明が解決しようとする課題】
【０００４】
しかしながら上記従来のＭＦＰ装置では、元々カラーファクシミリ送信機能がないにも関わらず、カラースキャンスタートキーが押下されるとカラーデータとして原稿をスキャンし、その後モノクロデータに変換するといった迂遠な処理を行うため、装置内のデータ処理に無駄があり、かつファクシミリ送信実行までの時間がかかってしまうという問題があった。
【０００５】
本発明は、かかる問題点を解消するためになされたもので、カラースキャンスタートキーが押下された場合であっても、無駄な装置内のデータ処理を省き、かつユーザの使い勝手の良いＭＦＰ装置を提供することを目的とするものである。
【課題を解決するための手段】
【０００６】
以上の課題を解決するために、本発明によるマルチファンクションペリフェラル装置によれば、モノクロ及びカラースキャナ機能を有するスキャナ部と、モノクロファクシミリ送信機能のみを有するファクシミリ送信部と、前記スキャナ部に対してカラースキャンの実行を指示するカラースキャンスタートキーと、前記スキャナ部に対してモノクロスキャンの実行を指示するモノクロスキャンスタートキーと、前記カラースキャンスタートキーによるファクシミリ送信が指示された場合に、前記カラースキャンスタートキーと前記モノクロファクシミリ機能との間で予め設定された対応条件に基づいて、前記ファクシミリ送信部の動作を制御するファクシミリ送信制御部と、を備えることを特徴とする。
【０００７】
さらなる本発明の特徴は、以下に説明する各実施形態及び添付図面によって明らかにされる。
【発明の効果】
【０００８】
本発明によれば、モノクロファクシミリ送信機能とカラースキャンスタートキーとの関係を明確にしているので、カラースキャンスタートキーが押下された場合の処理が明確になり、よって無駄な装置内のデータ処理を省け、かつユーザの使い勝手の良いＭＦＰ装置を提供することができる。
【発明を実施するための最良の形態】
【０００９】
以下、図面を参照しながら本発明における実施の形態を説明する。
【００１０】
＜ハードウエア構成＞
図１は、各実施形態に共通するＭＰＦ（マルチファンクションペリフェラル）装置１００のハードウエア構成図である。
【００１１】
図１において、１０１はＣＰＵであり、ＲＯＭ１０２に格納されている様々な実行プログラムを読み出してそのプログラムを実行し、ＲＡＭ１０３を使用しながら装置全体を制御する。
【００１２】
ＲＯＭ１０２は実行プログラムの他、各種固定データをも格納する媒体であり、場合によっては書き込み可能な媒体であっても構わない。
【００１３】
ＲＡＭ１０３は、ＣＰＵ１０１がプログラム命令を実行する際に一時的データや、画像データ等を格納する媒体である。
【００１４】
１０４はＰＡＮＥＬ（操作パネル）であり、ＭＦＰ装置１００のユーザインターフェースを制御する。このＰＡＮＥＬ１０４は操作ボタンやテンキー等のユーザが所定のデータや指示を入力するためのインターフェースである。また、１０５はＣＯＤＥＣであり、様々な画像データの符号化方式に基づいてデータの符号化、復号化を行う。符号化方式としては、例えば、ＪＰＥＧ、ＪＢＩＧ、ＴＩＦＦ、ＴＥＸＴ、等に対応することができる。
【００１５】
１０６はＳＣＡＮＮＥＲであり、原稿を光学的に読み取り画像データに変換する機能を有している。ＳＣＡＮＮＥＲ１０６は、カラースキャン動作とモノクロスキャン動作を実行することができる。そのためＭＦＰ装置１００は、図２で示されるようなカラースキャンスタートキー２０１とモノクロスキャンスタートキー２０２を備えている。１０７はＰＲＩＮＴＥＲであり、画像データをプリントする機能を有している。
【００１６】
１０８はＣＣＵ（コミュニケーション・コントロール・ユニット）であり、ファクシミリ通信プロトコルを制御し、ファクシミリデータの送受信を制御するものである。本実施形態に係るＭＦＰ装置１００は、モノクロファクシミリ送信機能のみを有しており、カラーファクシミリ送信機能は有していない。モノクロファクシミリ送信もモノクロスキャンスタートボタン２０２を押下することによって開始される。なお、カラースキャンスタートボタン２０１がファクシミリ送信の際に押下された場合の取り扱いについては本発明の本旨に関わる部分であり、後述の各実施形態において詳細な動作説明をすることとする。また、このファクシミリ送信制御は、ＣＰＵ１０１で通信制御を行っても良いが、処理負荷を分散するためにファクシミリ通信用に設けられた処理部である。本実施形態では、
１０９はＥＸＴＥＲＮＡＬであり、ＵＳＢやＬＡＮ等の外部インターフェースを制御し、各種データの送受信を制御するものである。
【００１７】
また、図２は、ＭＦＰ装置１００のオペレーションパネルが通常状態（何も動作していない待機状態）の場合の様子を示した図である。この通常状態のときには、パネル上に「送信できます」のメッセージが表示される。
【００１８】
さらに、図３は、ＭＦＰ装置１００のオペレーションパネルが通信状態の場合の様子を示した図である。ＭＦＰ装置がＦＡＸ通信中のときは、パネル上に「送信中です」若しくは「受信中です」のメッセージが表示される。
【００１９】
＜第１の実施形態＞
図４は、本発明による第１の実施形態の動作を説明するためのフローチャートである。
【００２０】
第１の実施形態は、ファクシミリ送信ジョブ開始時にカラースキャンスタートキーが押下され、カラースタートキーが無条件に有効である場合の処理である。
【００２１】
ステップＳ４０１において、ファクシミリ送信ジョブに必要な相手先の電話番号入力等の設定が実行される。そして、ステップＳ４０２において、ファクシミリ送信ジョブの開始が指示される。開始の指示は通常、モノクロスキャンスタートキー２０２ことによって正常に実行される。
【００２２】
ステップＳ４０３において、ステップＳ４０２におけるファクシミリ送信ジョブの開始指定がモノクロスタートキー２０２であるかどうかが判断される。
【００２３】
そして、ステップＳ４０３の判断結果が、モノクロスタートキーであった場合、処理はステップＳ４０４に移行し、ファクシミリ送信ジョブを開始する。そのときのパネルの表示は図３に示されるようになる。そしてファクシミリ送信が完了すると、処理が正常に終了する。
【００２４】
一方、ステップＳ４０３の判断結果が、モノクロスタートキーでなかった場合、処理はステップＳ４０５に移行する。そして、さらに、ステップＳ４０４において押下されたボタンがカラースタートキーであるかどうかが判断される。
【００２５】
ステップＳ４０４の判断結果が、カラースタートキーであった場合には、処理がステップＳ４０５に移行し、ファクシミリ送信ジョブを開始する。そのときのパネルの表示は図３に示されるようになっている。このため、ユーザにとっては誤ってカラースタートキー２０１を押下してしまい、それに気づかなかったとしても正常に処理が完了する。また、気づいていたとしても別の動作を必要とせずに正常に処理を完了させることができる。
【００２６】
また、ステップＳ４０４における判断結果が、カラースタートキーでなかった場合、例えばテンキーの何れかであったような場合には、処理はステップＳ４０２に戻り、ファクシミリ送信ジョブの開始指定から処理が行われる。この場合に、パネル上には、「指示の再入力をお願いします」とのメッセージを表示させるようにしても良い。
【００２７】
以上のように、第１の実施形態では、カラースキャンスタートキー２０１が押下された場合にも適切な処理を実行することができるので、ユーザにとって非常に使い勝手が良いＭＦＰ装置を提供することができる。また、無駄な装置内データ処理を省くこともできる。
【００２８】
＜第２の実施形態＞
次に図５は本発明による第２の実施形態の動作を説明するためのフローチャートである。
【００２９】
第２の実施形態は、ファクシミリ送信ジョブ開始時にカラースタートキーが押下され、カラースタートキーが無効である場合の処理である。
【００３０】
ステップＳ５０１において、ファクシミリ送信ジョブに必要な相手先の電話番号入力等の設定が実行される。そして、ステップＳ５０２において、ファクシミリ送信ジョブの開始が指示される。開始の指示は通常、モノクロスキャンスタートキー２０２ことによって正常に実行される。
【００３１】
ステップＳ５０３において、ステップＳ４０２におけるファクシミリ送信ジョブの開始指定がモノクロスタートキー２０２であるかどうかが判断される。
【００３２】
そして、ステップＳ５０３の判断結果が、モノクロスタートキーであった場合、処理はステップＳ５０４に移行し、ファクシミリ送信ジョブを開始する。そのときのパネルの表示は図３に示されるようになる。そしてファクシミリ送信が完了すると、処理が正常に終了する。
【００３３】
一方、ステップＳ５０３の判断結果が、モノクロスタートキーが押下されたというものでなかった場合、処理はステップＳ５０５に移行する。ステップＳ５０５において、カラースタートキーが押下されたと判断された場合、処理はステップ５０６に移行し、パネルには図６に示されるように「無効なキー操作である」旨が表示（ヘルプ表示）される。そして、処理はステップＳ５０２に戻り、ファクシミリ送信ジョブの開始指定から再度処理が行われる。
【００３４】
また、ステップＳ５０５における判断結果が、カラースタートキーでなかった場合にも、処理はステップＳ５０２に戻り、ファクシミリ送信ジョブの開始指定から再度処理が行われる。
【００３５】
なお、ヘルプ表示は、「無効なキー操作である」旨の表示に限らず、例えば、「カラーでは送信できない或いは送信しない」旨の表示であっても良い。
【００３６】
第２の実施形態によれば、ユーザがカラーファクシミリ送信をしたかったのにモノクロで送信されてしまう事態を防ぐことができ、ユーザの要望に応えることができ、使い勝手の良いＭＦＰ装置を提供することができる。また、ＭＦＰ装置内の無駄な処理を省くこともできる。
【００３７】
＜第３の実施形態＞
図７は本発明による第３の実施形態の動作を説明するためのフローチャートである。
【００３８】
第３の実施形態は、ファクシミリ送信ジョブ開始時にカラースタートキーが押下され、カラースタートキーが装置設定により有効、または無効である場合の処理である。
【００３９】
ステップＳ７０１において、ファクシミリ送信ジョブに必要な相手先の電話番号入力等の設定が実行される。そして、ステップＳ７０２において、ファクシミリ送信ジョブの開始が指示される。開始の指示は通常、モノクロスキャンスタートキー２０２ことによって正常に実行される。
【００４０】
ステップＳ７０３において、ステップＳ４０２におけるファクシミリ送信ジョブの開始指定がモノクロスタートキー２０２であるかどうかが判断される。
【００４１】
そして、ステップＳ７０３の判断結果が、モノクロスタートキーが押下されたというものであった場合、処理はステップＳ７０４に移行し、ファクシミリ送信ジョブを開始する。そのときのパネルの表示は図３に示されるようになる。そしてファクシミリ送信が完了すると、処理が正常に終了する。
【００４２】
一方、ステップＳ７０３の判断結果が、モノクロスタートキーが押下されたというものでなかった場合、処理はステップＳ７０５に移行し、カラースタートキー２０１が押下されたか否かが判断される。ステップＳ７０５において、カラースタートキーが押下されたと判断された場合、処理はステップ７０６に移行しＭＦＰ装置１００の設定内容が確認される。なお、カラースタートキーの有効／無効の設定は、オペレーションパネル１０４から入力されたモード選択動作によって行われ、その選択されたモードの情報がＲＡＭ１０３に格納されている。
【００４３】
そして、ステップＳ７０７において、ステップＳ７０６で確認された内容に基づいて、ファクシミリ送信ジョブ開始時のカラースタートキー２０１の押下が有効であるか否かがさらに判断される。ステップＳ７０７でカラースタートキー２０１の押下が有効であると判断されれば、処理はステップＳ７０４に移行し、ファクシミリ送信ジョブを開始する。そのときのパネルの表示は図３に示されるようになる。そしてファクシミリ送信が完了すると、処理が正常に終了する。
【００４４】
また、ステップＳ７０７において、カラースタートキー２０１の押下が無効であると判断されれば、処理はステップＳ７０８に移行し、「無効なキー操作である」旨が表示（ヘルプ表示）される。そして、処理はステップＳ５０２に戻り、ファクシミリ送信ジョブの開始指定から再度処理が行われる。
【００４５】
ステップＳ７０５における判断結果が、カラースタートキーが押下されたというものでなかった場合、処理はステップＳ７０２に戻り、ファクシミリ送信ジョブの開始指定から再度処理が行われる。
【００４６】
第３の実施形態によれば、ユーザがカラースタートキーの有効または無効を選択することができるようになっているので、自分の使用態様によってモードを選べることができ、ユーザにとって非常に使い勝手の良いＭＦＰ装置を提供することができる。また、ＭＦＰ装置内の無駄な処理を省くこともできる。
【００４７】
＜その他＞
実施の形態の処理は、各機能を具現化したソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００４８】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【００４９】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図面の簡単な説明】
【００５０】
【図１】本発明におけるＭＦＰ装置のハードウェアの構成を示したブロック図である。
【図２】本発明におけるＭＦＰ装置のオペレーションパネルが、通常状態の場合の概要を示した図である。
【図３】本発明におけるＭＦＰ装置のオペレーションパネルが、送信状態の場合の概要を示した図である。
【図４】本発明の第１の実施形態に係るＭＦＰ装置の処理動作を説明するためのフローチャートである。
【図５】本発明の第２の実施形態に係るＭＦＰ装置の処理動作を説明するためのフローチャートである。
【図６】第２の実施形態に係るＭＦＰ装置のオペレーションパネルが、無効な操作によりヘルプメッセージを表示した場合の様子を示した図である。
【図７】本発明の第３の実施形態に係るＭＦＰ装置の処理動作を説明するためのフローチャートである。
【図１】
2005269203.tif 000003
【図２】
2005269203.tif 000004
【図３】
2005269203.tif 000005
【図４】
2005269203.tif 000006
【図５】
2005269203.tif 000007
【図６】
2005269203.tif 000008
【図７】
2005269203.tif 000009